(57)【要約】【課題】  ガスバッグ３を炎を噴いているガス導管１に挿入した場合においても、パイプ２とガスバッグ３との結合部に直接炎が当たるのを阻止し、その結合部が加熱により緩むのを防止して、ガスバッグ３の脱落を防止する。【解決手段】  剛直なパイプ２の先端に流体圧力により膨張可能なバッグ３を取り付けてなり、管路１内に挿入したバッグ３に前記パイプ２を介して圧力流体を挿入して膨張させ、管路１を閉鎖する管路の閉鎖具において、前記パイプ２の先端に止着された取付金具４の外側に前記バッグ３の開口端部を被せ、当該バッグ３の外側から締め付け部材５で締め付けてバッグ３を前記取付金具４に締結すると共に、そのバッグ３の端部の外側に間隔をおいて、前記締め付け部材５を十分に覆い得る長さのカバー部材８を設け、当該カバー部材８を前記取付金具４に固定する。【選択図】          図３
2010121716.tif 000002
【特許請求の範囲】
【請求項１】
剛直なパイプ（２）の先端に流体圧力により膨張可能なバッグ（３）を取り付けてなり、管路（１）内に挿入したバッグ（３）に前記パイプ（２）を介して圧力流体を挿入して膨張させ、管路（１）を閉鎖する管路の閉鎖具において、前記パイプ（２）の先端に止着された取付金具（４）の外側に前記バッグ（３）の開口端部を被せ、当該バッグ（３）の外側から締め付け部材（５）で締め付けてバッグ（３）を前記取付金具（４）に締結すると共に、そのバッグ（３）の端部の外側に間隔をおいて、前記締め付け部材（５）を十分に覆い得る長さのカバー部材（８）を設け、当該カバー部材（８）を前記取付金具（４）に固定したことを特徴とする、管路の閉鎖具
【請求項２】
前記取付金具（４）にカプラー（７）を取り付け、当該カプラー（７）に前記パイプ（２）の先端を着脱可能に取り付けたことを特徴とする、請求項１に記載の管路の閉鎖具
【請求項３】
前記カバー部材（８）の一端に底板（１０）を設け、前記カプラー（７）と取付金具（４）とを前記底板（１０）を挟持して取り付けることにより、カバー部材（８）を取付金具（４）に固定したことを特徴とする、請求項２に記載の管路の閉鎖具
【発明の詳細な説明】
【技術分野】
【０００１】
本発明は管路の閉鎖具に関するものであって、特にガス導管を他の工事などで損傷し、導管からガスが漏出し又はガス火災が発生したときに、その導管を速やかに閉鎖することのできる閉鎖具に関するものである。
【背景技術】
【０００２】
従来からガス導管の工事を行う場合には、その工事区間を挟んだ両側の導管を遮断し、工事区間の導管を切断して必要な工事が行われる。導管を遮断する場合には、例えば特開平１０−８９５８４号公報に示されるように、一対のバッグを導管内に挿入して流体圧力で膨らませて、導管を閉塞することが行われている。
【０００３】
しかしながらこの遮断方法では、バッグによりガスの流通を完全に遮断することは困難であって、僅かな量のガスが漏出することがあり、またバッグ内の流体圧力が低下してガスの漏出量が増えることもあり得る。
【０００４】
さらには漏出したガスに着火すると、その熱でバッグが破裂し、導管の遮断が失われて大量のガスが燃焼しながら噴出することも想定される。もとよりバッグは耐熱性や難燃性を有する材料が使用されるが、完全な不燃性を有するわけではなく、また長時間に亙ってガスの燃焼が続けばバッグの破裂は避けられない。
【０００５】
このような場合に備えて、特開２００１−１２４２８３号公報には、着火したガス導管に挿入して消火するガスバッグが示されており、また図１に示すように、かかるガスバッグ３をパイプ２の先端に取り付け、炎を噴いているガス導管１の端部からガスバッグ３を挿入して膨らませ、消火することも行われている。
【０００６】
図１の方法においては、図１に示すように長尺のパイプ２の先端に取り付けられた取付金具４に、ガスバッグ３の開口端部を被せ、その外側から金属ベルトなどの締め付け部材５で締め付けて強固に固定する。
【０００７】
そしてこの状態で待機し、工事中にガスに着火してガス導管１から炎が噴き出したときには、直ちにパイプ２を操作してガスバッグ３をガス導管１の端部に挿入し、パイプ２の後端に接続された送気ホース６からパイプ２を介してガスバッグ３に圧縮空気を送入し、ガスバッグ３を膨らませてガスの漏出を止め、炎を消すのである。
【０００８】
この方法は人手に頼る方法ではあるが、その反面構造が簡単で操作も単純であると共に、工事の現場の状況やガスの漏出状態、炎の状態などの条件に拘わらず、常に適用可能であり、また効果も確実であると言う利点があり、近年注目されている。
【０００９】
しかしながらこの方法は、作業者が噴出する炎の影響を受けないためには、作業者はガス導管１の端末から離れて位置することが必要であり、長尺のパイプ２を操ってガスバッグ３をガス導管１の端末に挿入しなければならず、ガスバッグ３の挿入が完了するまでに若干の時間を要し、その間ガスバッグ３やパイプ２との結合部の近辺は直接炎に接し、強く加熱され続けることとなる。
【００１０】
そのため締め付け部材５は加熱されて熱膨張を生じると共に、またガスバッグ３も加熱されることによりその素材が軟化し、締め付け部材５によるガスバッグ３の開口部の締め付けが緩み、ガスバッグ３内に圧縮空気を送入したときに、その圧力によって取付金具４がガスバッグ３から脱落する可能性がある。
【００１１】
締め付け部材５をいかに強固に締め付けたとしても熱膨張を抑制することはできず、またガスバッグ３の耐熱性をいかに向上させたとしても、軟質の材料である以上加熱されれば程度の差はあっても軟化することは避けられないのであって、緩みを抑制することは極めて困難である。
【特許文献１】特開平１０−８９５８４号公報
【特許文献２】特開２００１−１２４２８３号公報
【発明の開示】
【発明が解決しようとする課題】
【００１２】
本発明はかかる事情に鑑みなされたものであって、ガスバッグ３を炎を噴いているガス導管１に挿入した場合においても、パイプ２とガスバッグ３との結合部に直接炎が当たるのを阻止し、その結合部が加熱により緩むのを防止して、ガスバッグ３の脱落を防止することを目的とするものである。
【課題を解決するための手段】
【００１３】
而して本発明は、剛直なパイプの先端に流体圧力により膨張可能なバッグを取り付けてなり、管路内に挿入したバッグに前記パイプを介して圧力流体を挿入して膨張させ、管路を閉鎖する管路の閉鎖具において、前記パイプの先端に止着された取付金具の外側に前記バッグの開口端部を被せ、当該バッグの外側から締め付け部材で締め付けてバッグを前記取付金具に締結すると共に、そのバッグの端部の外側に間隔をおいて、前記締め付け部材を十分に覆い得る長さのカバー部材を設け、当該カバー部材を前記取付金具に固定したことを特徴とするものである。
【００１４】
本発明においては、前記取付金具にカプラーを取り付け、当該カプラーに前記パイプの先端を着脱可能に取り付けることが好ましい。またこの場合、前記カバー部材の一端に底板を設け、前記カプラーと取付金具とを前記底板を挟持して取り付けることにより、カバー部材を取付金具に固定することが好ましい。
【発明の効果】
【００１５】
本発明によればパイプ２とガスバッグ３との結合部がカバー部材で覆われているので直接炎に接することがなく、またカバー部材は加熱されても結合部との間に間隔があるので熱伝導により加熱されることもない。
【００１６】
従ってガスバッグ３を炎の中に挿入してもパイプ２とガスバッグ３との結合部が強く加熱されることがなく、締め付け部材５が熱膨張を生じたり結合部のガスバッグ３が軟化して締め付けが緩むのを遅らせることができ、ガスバッグ３がパイプ２から脱落するのを防止することができる。
【発明を実施するための最良の形態】
【００１７】
以下本発明を図面に基づいて説明する。図３は本発明におけるパイプ２とガスバッグ３との結合部を示すものであって、７は前記パイプ２の先端を着脱自在に結合するカプラー７であり、そのカプラー７は取付金具４に結合されている。
【００１８】
ガスバッグ３は耐熱性及び不燃性を有する柔軟な材料よりなり、ガス導管１の端末に挿入した状態で内部に流体圧力を作用させることにより膨張し、ガス導管１の内面に圧接してガス導管１を閉鎖するものである。
【００１９】
また取付金具４はガスバッグ３の開口端に挿入され、ガスバッグ３の外側から金属ベルトなどの締め付け部材５により締め付けられ、ガスバッグ３と取付金具４とは強固に固定されている。
【００２０】
而して本発明において、８はカバー部材である。このカバー部材８は筒状部９と当該筒状部９の一端部に形成された底板１０とよりなり、前記カプラー７が底板１０の中央を貫通して取付金具４に取り付けられ、当該底板１０をカプラー７と取付金具４との間に挟持することにより、カバー部材８が取付金具４に固定されている。
【００２１】
そしてカバー部材８の筒状部９は、ガスバッグ３の取付金具４に対する結合部の外方を、ガスバッグ３の端部との間に若干の間隔をおいて覆っており、且つその長さは締め付け部材５を完全に覆い得る長さを有している。
【００２２】
本発明の閉鎖具を使用するには、図１に示すようにパイプ２を操ってガスバッグ３をガス導管１の端末から挿入し、この状態で送気ホース６及びパイプ２を介してガスバッグ３内に圧縮空気などの圧力流体を挿入し、ガスバッグ３を膨らませてガス導管１を閉鎖し、ガスの漏出を遮断する。
【００２３】
本発明によれば、図１に示すように炎を噴き出しているガス導管１の端末にガスバッグ３を挿入した場合においても、筒状部９により保護されてガスバッグ３と取付金具４との結合部に炎が直接当たることがない。
【００２４】
従って締め付け部材５が急速に加熱されて熱膨張を来たすことがなく、またガスバッグ３の端部が熱により過度に軟化することもないので、結合部における締め付け部材５による締め付けが緩むことがなく、ガスバッグ３に作用した流体圧力によりガスバッグ３と取付金具４との結合が脱落する恐れがない。
【００２５】
本発明におけるカバー部材８は完全な熱遮断性を有するものではないので、長時間に亙って加熱が続けば結合部が緩む可能性もあるが、ガスバッグ３をガス導管１に挿入して膨らませ、漏出するガスを遮断すれば炎も消火するので、それ以上加熱が続くことはなく、ガスの遮断に過度に長時間を要しない限り、結合部が緩むことはない。
【産業上の利用可能性】
【００２６】
以上の説明においては、ガス導管におけるガスの漏出を止める器具として説明しているが、本発明はかかる用途に限られるものではなく、広く管路の端末を閉鎖する器具として使用することが可能である。
【図面の簡単な説明】
【００２７】
【図１】管路を閉鎖する方法を示す概念図
【図２】従来の管路の閉鎖具の側面図
【図３】本発明の管路の閉鎖具の主要部の中央縦断面図
【符号の説明】
【００２８】
１  ガス導管
２  パイプ
３  ガスバッグ
４  取付金具
５  締め付け部材
６  送気ホース
７  カプラー
８  カバー部材
９  筒状部
１０  底板
【図１】
2010121716.tif 000003
【図２】
2010121716.tif 000004
【図３】
2010121716.tif 000005